(57)【特許請求の範囲】
【請求項１】
親指の腹に添うようにした指当て部（２）と親指への装着手段（３）を有する本体（１）に皮むき刃（４）を設けた皮むき具であって、前方に位置する装着手段（３）は、長めに形成し、片側のみに設けられたものとし、さらに皮むき刃（４）はむいた皮の抜き穴（６）を有するものとしていることを特徴とする皮むき具。
【請求項２】
親指の腹に添うようにした指当て部（２）と親指への装着手段（３）を有する本体（１）に皮むき刃（４）を設けた皮むき具であって、前記装着手段（３）が、指当て部（２）の両側端の前後に向かい合わせて立設した屈曲自在の線材（３ａ）（３ａ）であることを特徴とする皮むき具。
【発明の詳細な説明】
【０００１】
【産業上の利用分野】
この発明は、芋類や果物類等の皮を簡単にむくことのできる皮むき具に関するものである。
【０００２】
【従来の技術】
従来、この種の皮むき具には、長い柄の先端部に、この柄に添うようにしたり、この柄に交わるようにして皮むき刃を設けたものが存在する。そして、この皮むき具は、一方の手で芋類や果物類等を持ち、他方の手で皮むき具の柄を握って皮むき作業を行うようにしている。
【０００３】
【発明が解決しようとする課題】
しかしながら、上記従来の皮むき具は、柄を手で握って皮むき作業を行うため、皮むき刃のすぐ傍の柄を握ったとしても、どうしても指先から皮むき刃が少し離れた位置となり、力の入れ加減がむずかしく、細かい個所の皮むき作業が困難であり、皮を綺麗にむくことができないという課題を有していた。
【０００４】
さらに、上記従来の皮むき具では、力の入れ加減がむずかしいので、芋類や果物類等を持っている方の手を誤って切ってしまうという課題を有していた。
【０００５】
そこで、この発明は、上記従来の課題を解決するためになされたものであり、細かい個所の皮むき作業が容易となると共に、手を誤って切ってしまうことのない皮むき具を提供することを目的としている。
【０００６】
【課題を解決するための手段】
そのため、この発明の皮むき具は、親指の腹に添うようにした指当て部２と親指への装着手段３を有する本体１に皮むき刃４を設けた皮むき具であって、前方に位置する装着手段３は、長めに形成し、片側のみに設けられたものとし、さらに皮むき刃４はむいた皮の抜き穴６を有するものとしている。
また、親指の腹に添うようにした指当て部２と親指への装着手段３を有する本体１に皮むき刃４を設けた皮むき具であって、前記装着手段３が、指当て部２の両側端の前後に向かい合わせて立設した屈曲自在の線材３ａ３ａであることとすることができる。
【０００７】
【作用】
この発明の皮むき具は、皮むき刃４が指先から非常に近い位置となり、力の入れ加減が簡単で、皮むき作業がし易くなる。
【０００８】
【実施例】
以下、この発明の皮むき具の構成を、実施例として示した図面に基づいて詳細に説明する。
【０００９】
この発明の皮むき具は、図１〜６に示したように、親指の腹に添うようにした指当て部２と親指への装着手段３を有する本体１に、皮むき刃４を設けたものとしている。
【００１０】
図１に示したこの発明の第１実施例、及び図２に示した第２実施例では、前記本体１は、合成樹脂の一体成形により略親指大とした基部に前記指当て部２を形成すると共に、この一体成形と同時に前記装着手段３を植設して成るものとしている。そして、この本体１の基部には、前記一体成形と同時に、皮むき刃４を植設している。
【００１１】
前記指当て部２は、親指の先端に当たる部分を凹ますと共に親指の指節に当たる部分を少し膨らませ、親指の付け根に当たる部分を凹ますことにより、親指の腹に添い易い形状とすることができる。さらに、この指当て部２は、親指の側部に添うようにして連設された当て部２ａを有するものとしている。
【００１２】
前記装着手段３は、親指を差し込む形式にすることもできるが、この第１、２実施例に示したように、前記指当て部２の両側端の前後に向かい合わせて立設した屈曲自在の線材３ａ、３ａとすれば、これらを曲げて両線材３ａの間を広げたり狭めたりすることにより、使用者の親指の大きさに適合させて装着できるようになり、好ましいものとなる。
【００１３】
前記皮むき刃４は、本体１の長手方向に沿って設けられており、図１に示したこの発明の第１実施例のように、へら状の切り刃４ａとしたり、図２に示した第２実施例のように、むいた皮の抜き穴６を有する切り刃４ａとしたりすることができる。また、図２、図３に示したように、この切り刃４ａの一端にくり抜き刃４ｂを付設したものとすることもでき、このくり抜き刃４ｂにより、ジャガイモ等の芽やリンゴ等の芯が取り易くなる。
【００１４】
なお、この発明の皮むき具は、図４に示したこの発明の第３実施例のような、指当て部２及び装着手段３を有する本体１を金属で一体成形したものとすることもできる。皮むき刃４は、本体１の一体成形後にスポット溶接で取り付けられる。本体１の内面には、親指との接触をソフトにするために、スポンジ等の柔らかいものを付設するとよい。図５に示したこの発明の第４実施例のように、前方に位置する装着手段３は、長めに形成し、片側のみに設けてもよい。
【００１５】
また、図６に示したこの発明の第５実施例のような、本体１を合成樹脂で一体成形したものとすることもできる。合成樹脂としては、ギターのピックに使用されているような変形可能かつ変形した状態を保持することができるものを使用するとよい。皮むき刃４は、合成樹脂の成形時又は成形後に取付ける。
【００１６】図６に示したこの発明の第５実施例では、装着手段３の後部に切れ込みを形成し、後方に広がる形状とし、親指によくフィットするようにしている。
【００１７】
なお、図４、図５に示した実施例の本体１を合成樹脂で、図６に示した実施例の本体１を金属で一体成形して、前記各実施例と同様の形状のものを作製することも可能である。
【００１８】
以上のように構成したこの発明の皮むき具を使用するには、指当て部２に一方の手の親指の腹を添わせると共に、装着手段３を使用者の親指に適合するよう曲げて装着する。前述の第１実施例及び第２実施例については、装着手段３である線材３ａ、３ａを曲げて両線材３ａの間を広げたり狭めたりして使用者の親指に適合させる。そして、図７、８に示したように、他方の手で芋類や果物類等を持って皮むき作業を行えばよい。
【００１９】
【発明の効果】
この発明の皮むき具は、以上に述べたように構成されており、皮むき刃が指先に近い位置となるので、皮むき作業がし易くなり、細かい個所の皮むき作業が容易となると共に、皮を綺麗にむけるようになった。
【００２０】
また、この発明の皮むき具は、力の入れ加減が簡単で、皮むき作業がし易くなるので、芋類や果物類等を持っている方の手を誤って切ってしまうこともなくなった。
【図面の簡単な説明】
【図１】この発明の皮むき具の第１実施例を示す斜視図である。
【図２】この発明の皮むき具の第２実施例を示す斜視図である。
【図３】この発明の皮むき具の第２実施例を示す側面図である。
【図４】この発明の皮むき具の第３実施例を示す側面図である。
【図５】この発明の皮むき具の第４実施例を示す斜視図である。
【図６】この発明の皮むき具の第５実施例を示す斜視図である。
【図７】この発明の皮むき具の第１実施例の使用状態を示す斜視図である。
【図８】この発明の皮むき具の第２実施例の使用状態を示す斜視図である。
【符号の説明】
１ 本体
２ 指当て部
３ 装着手段
３ａ 線材
【図１】
0003616972.tif 000002
【図２】
0003616972.tif 000003
【図３】
0003616972.tif 000004
【図４】
0003616972.tif 000005
【図５】
0003616972.tif 000006
【図６】
0003616972.tif 000007
【図７】
0003616972.tif 000008
【図８】
0003616972.tif 000009